(57)【要約】【課題】電圧制御の発振器と電圧制御機能を有しない発振器の両方に対応しながら、発振周波数の周波数安定度の向上を図れる回路装置等の提供。【解決手段】回路装置２０は、可変容量回路６０を有し、発振子１０を発振させる動作を行う発振回路５０と制御部３０を含む。可変容量回路６０は第１〜第ｎの可変容量素子ＣＡ１〜ＣＡｎを有する。制御部３０は、動作モードが第１の動作モードである場合には、第１〜第ｎの可変容量素子ＣＡ１〜ＣＡｎに対して、少なくとも１つが可変電圧ＶＶである第１〜第ｎの印加電圧ＶＡ１〜ＶＡｎを供給し、動作モードが第２の動作モードである場合には、第１〜第ｎの可変容量素子ＣＡ１〜ＣＡｎに対して、固定電圧ＶＦである第１〜第ｎの印加電圧ＶＡ１〜ＶＡｎを供給する。【選択図】図２
2015070482.tif 000002
【特許請求の範囲】
【請求項１】
可変容量回路を有し、発振子を発振させる動作を行う発振回路と、
制御部と、
を含み、
前記可変容量回路は、第１の可変容量素子〜第ｎの可変容量素子（ｎは２以上の整数）を有し、
前記制御部は、
動作モードが第１の動作モードである場合には、
前記第１の可変容量素子〜前記第ｎの可変容量素子に対して、少なくとも１つが可変電圧である第１の印加電圧〜第ｎの印加電圧を供給し、
前記動作モードが第２の動作モードである場合には、
前記第１の可変容量素子〜前記第ｎの可変容量素子に対して、固定電圧である前記第１の印加電圧〜前記第ｎの印加電圧を供給することを特徴とする回路装置。
【請求項２】
請求項１に記載の回路装置において、
前記動作モードを設定する動作モード設定部を含み、
前記動作モード設定部は、
前記動作モードの設定情報を記憶する記憶部を有し、
前記制御部は、
前記設定情報に基づいて、前記第１の動作モードと前記第２の動作モードの切替を行うことを特徴とする回路装置。
【請求項３】
請求項１に記載の回路装置において、
前記制御部は、入力される制御信号によって、前記第１の動作モードと第２の動作モードの切替を行うことを特徴とする回路装置。
【請求項４】
請求項１乃至３のいずれか一項に記載の回路装置において、
前記制御部は、
前記可変電圧と前記固定電圧とが入力され、前記可変電圧及び前記固定電圧の中から選択した電圧を、前記第１の印加電圧〜前記第ｎの印加電圧として前記第１の可変容量素子〜前記第ｎの可変容量素子に対して出力する第１の切替部〜第ｎの切替部を含み、
前記動作モードが前記第１の動作モードである場合には、
前記第１の切替部〜前記第ｎの切替部のうちの少なくとも１つの切替部が、前記可変電圧を選択して出力し、
前記動作モードが前記第２の動作モードである場合には、
前記第１の切替部〜前記第ｎの切替部が、前記固定電圧を選択して出力することを特徴とする回路装置。
【請求項５】
請求項１乃至４のいずれか一項に記載の回路装置において、
前記制御部は、
前記第１の印加電圧〜第ｎの印加電圧のうちの前記可変電圧となる電圧の供給個数の設定により、前記可変電圧である制御電圧に対する発振周波数の周波数可変感度を設定することを特徴とする回路装置。
【請求項６】
請求項１乃至５のいずれか一項に記載の回路装置において、
基準電圧に基づいて前記固定電圧を生成する電圧生成回路を含むことを特徴とする回路装置。
【請求項７】
請求項６に記載の回路装置において、
前記第１の動作モードは、前記可変電圧である制御電圧の変化に応じて発振周波数が変化するモードであり、
前記第１の動作モードにおいて、前記発振周波数を公称周波数に設定する際の前記制御電圧を、公称周波数電圧とした場合に、
前記電圧生成回路は、
前記固定電圧として前記公称周波数電圧を生成することを特徴とする回路装置。
【請求項８】
請求項１乃至７のいずれか一項に記載の回路装置において、
前記可変電圧である制御電圧が入力される制御電圧入力端子を有し、
前記第１の動作モードは、前記制御電圧の変化に応じて前記発振周波数が変化するモードであり、
前記第２の動作モードは、前記制御電圧が変化に対して前記発振周波数が一定となるモードであることを特徴とする回路装置。
【請求項９】
請求項１乃至８のいずれか一項に記載の回路装置と、
前記発振子と、
を含むことを特徴とする発振器。
【請求項１０】
請求項１乃至８のいずれか一項に記載の回路装置を含むことを特徴とする電子機器。
【請求項１１】
請求項１乃至８のいずれか一項に記載の回路装置を含むことを特徴とする移動体。
【発明の詳細な説明】
【技術分野】
【０００１】
本発明は、回路装置、発振器、電子機器及び移動体等に関する。
【背景技術】
【０００２】
従来より、制御電圧により発振周波数が可変に制御されるＶＣＸＯ（Voltage controlled Crystal Oscillator）と呼ばれる電圧制御の発振器と、このような発振周波数の電圧制御機能を有しないＳＰＸＯ（Simple Packaged Crystal Oscillator）と呼ばれる発振器が知られている。このような発振器の従来技術としては例えば特許文献１、２に開示される技術が知られている。
【先行技術文献】
【特許文献】
【０００３】
【特許文献１】特開２００６−２４５９８２号公報
【特許文献２】特開２００５−３０３３８８号公報
【発明の概要】
【発明が解決しようとする課題】
【０００４】
発振器には、水晶振動子等の発振子の発振を制御する回路装置（ＩＣ）が組み込まれる。そして従来では、ＶＣＸＯには、ＶＣＸＯ用に開発された回路装置が組み込まれ、ＳＰＸＯには、ＳＰＸＯ用に開発された回路装置が組み込まれるのが一般的であった。このため、１つの製品の回路装置で、ＶＣＸＯとＳＰＸＯの両方に対応することはできず、在庫管理が煩雑になるなどの問題があった。
【０００５】
この点、特許文献２には、制御電圧の伝達経路に設けられた溶断素子を切断することで、ＶＣＸＯをＳＰＸＯとして使用可能にする従来技術が開示されている。
【０００６】
しかしながら、特許文献２の従来技術は、発振周波数の周波数安定度や精度の向上において課題があった。
【０００７】
本発明の幾つかの態様によれば、電圧制御の発振器と電圧制御機能を有しない発振器の両方に対応しながら、発振周波数の周波数安定度の向上を図れる回路装置、発振器、電子機器及び移動体等を提供できる。
【課題を解決するための手段】
【０００８】
［適用例１］
本適用例は、可変容量回路を有し、発振子を発振させる動作を行う発振回路と、制御部とを含み、前記可変容量回路は、第１の可変容量素子〜第ｎの可変容量素子（ｎは２以上の整数）を有し、前記制御部は、動作モードが第１の動作モードである場合には、前記第１の可変容量素子〜前記第ｎの可変容量素子に対して、少なくとも１つが可変電圧である第１の印加電圧〜第ｎの印加電圧を供給し、前記動作モードが第２の動作モードである場合には、前記第１の可変容量素子〜前記第ｎの可変容量素子に対して、固定電圧である前記第１の印加電圧〜前記第ｎの印加電圧を供給する回路装置に関係する。
【０００９】
本適用例によれば、可変容量回路は第１〜第ｎの可変容量素子を有する。そして制御部は、第１の動作モードでは、第１〜第ｎの可変容量素子に対して、少なくとも１つが可変電圧である第１〜第ｎの印加電圧が供給される。こうすることで、第１〜第ｎの可変容量素子の少なくとも１つに対して可変電圧が印加されるようになるため、回路装置を、電圧制御の発振器用の回路装置として動作させることが可能になる。一方、第２の動作モードでは、第１〜第ｎの可変容量素子に対して、固定電圧である第１〜第ｎの印加電圧が供給される。こうすることで、第１〜第ｎの可変容量素子に対して固定電圧が印加されるようになるため、回路装置を、電圧制御機能を有しない発振器用の回路装置として動作させることが可能になる。これにより、電圧制御の発振器と電圧制御機能を有しない発振器の両方に対応しながら発振周波数の周波数安定度の向上等を図ることが可能になる。
［適用例２］
本適用例では、前記動作モードを設定する動作モード設定部を含み、前記動作モード設定部は、前記動作モードの設定情報を記憶する記憶部を有し、前記制御部は、前記設定情報に基づいて、前記第１の動作モードと前記第２の動作モードの切替を行ってもよい。
【００１０】
このようにすれば、記憶部に設定された設定情報を用いて、第１、第２の動作モードを切り替えて、回路装置を、電圧制御の発振器用の回路装置として動作させたり、電圧制御機能を有しない発振器用の回路装置としての動作させることができるようになる。
［適用例３］
本適用例では、前記制御部は、入力される制御信号によって、前記第１の動作モードと第２の動作モードの切替を行ってもよい。
【００１１】
このようにすれば、入力される制御信号によって、第１、第２の動作モードを切り替えて、回路装置を、電圧制御の発振器用の回路装置として動作させたり、電圧制御機能を有しない発振器用の回路装置としての動作させることができるようになる。
［適用例４］
本適用例では、前記制御部は、前記可変電圧と前記固定電圧とが入力され、前記可変電圧及び前記固定電圧の中から選択した電圧を、前記第１の印加電圧〜前記第ｎの印加電圧として前記第１の可変容量素子〜前記第ｎの可変容量素子に対して出力する第１の切替部〜第ｎの切替部を含み、前記動作モードが前記第１の動作モードである場合には、前記第１の切替部〜前記第ｎの切替部のうちの少なくとも１つの切替部が、前記可変電圧を選択して出力し、前記動作モードが前記第２の動作モードである場合には、前記第１の切替部〜前記第ｎの切替部が、前記固定電圧を選択して出力してもよい。
【００１２】
このようにすれば、第１の動作モードでは、第１〜第ｎの切替部のうちの少なくとも１つの切替部が、可変電圧を選択して出力することで、第１〜第ｎの可変容量素子に対して、少なくとも１つが可変電圧である第１〜第ｎの印加電圧を供給できるようになる。また第２の動作モードでは、第１〜第ｎの切替部が固定電圧を選択して出力することで、第１〜第ｎの可変容量素子に対して、固定電圧である第１〜第ｎの印加電圧を供給できるようになる。
［適用例５］
本適用例では、前記制御部は、前記第１の印加電圧〜第ｎの印加電圧のうちの前記可変電圧となる電圧の供給個数の設定により、前記可変電圧である制御電圧に対する発振周波数の周波数可変感度を設定してもよい。
【００１３】
このようにすれば、第１の動作モードにおいて、回路装置を電圧制御の発振器用の回路装置として動作させながら、発振周波数の周波数可変感度についても設定できるようになる。
［適用例６］
本適用例では、基準電圧に基づいて前記固定電圧を生成する電圧生成回路を含んでもよい。
【００１４】
このようにすれば、可変容量素子の印加電圧として、電源電圧変動等による変動が最小限に抑えられた固定電圧を使用できるため、発振周波数の周波数安定度等を向上できる。
［適用例７］
本適用例では、前記第１の動作モードは、前記可変電圧である制御電圧の変化に応じて発振周波数が変化するモードであり、前記第１の動作モードにおいて、前記発振周波数を公称周波数に設定する際の前記制御電圧を、公称周波数電圧とした場合に、前記電圧生成回路は、前記固定電圧として前記公称周波数電圧を生成してもよい。
【００１５】
このようにすれば、第１の動作モードでの公称周波数が、制御電圧を公称周波数電圧に設定したときの発振周波数である場合に、第２の動作モードにおいても、固定電圧が公称周波数電圧に設定されて、第１〜第ｎの可変容量素子に印加されるようになる。従って、第１の動作モードにおいて公称周波数になるように発振周波数を調整すると、第２の動作モードでの発振周波数についても、公称周波数に調整されるようになる。従って、発振周波数の調整作業の効率化や簡素化を図れるようになる。
［適用例８］
本適用例では、前記可変電圧である制御電圧が入力される制御電圧入力端子を有し、前記第１の動作モードは、前記制御電圧の変化に応じて前記発振周波数が変化するモードであり、前記第２の動作モードは、前記制御電圧が変化に対して前記発振周波数が一定となるモードであってもよい。
【００１６】
このようにすれば、第１の動作モードでは、制御電圧入力端子に入力される制御電圧により発振周波数を可変に制御し、第２の動作モードでは、制御電圧に依存せずに発振周波数を一定にすることが可能になる。
［適用例９］
本適用例は、上記に記載の回路装置と前記発振子とを含む発振器に関係する。
［適用例１０］
本適用例は、上記に記載の回路装置を含む電子機器に関係する。
［適用例１１］
本適用例は、上記に記載の回路装置を含む移動体に関係する。
【図面の簡単な説明】
【００１７】
【図１】図１（Ａ）〜図１（Ｃ）はＶＣＸＯの問題点についての説明図。
【図２】本実施形態の回路装置及びこれを含む発振器の構成例。
【図３】本実施形態の変形例。
【図４】発振回路の構成例。
【図５】制御部、可変容量回路の構成例。
【図６】制御部、可変容量回路の構成例。
【図７】図７（Ａ）、図７（Ｂ）は周波数可変感度の設定手法についての説明図。
【図８】電圧生成回路の構成例。
【図９】発振周波数の調整手法についての説明図。
【図１０】図１０（Ａ）、図１０（Ｂ）は本実施形態の回路装置を用いた電子機器、移動体の構成例。
【発明を実施するための形態】
【００１８】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００１９】
１．回路装置
図１（Ａ）に、ＶＣＸＯと呼ばれる電圧制御の発振器の例を示す。このＶＣＸＯでは、制御電圧の入力端子が設けられており、図１（Ｂ）に示すように、この入力端子に入力される制御電圧ＶＣによって発振周波数を可変に制御できる。
【００２０】
この場合に、ＶＣＸＯでは、制御電圧ＶＣがＶＢであるときの発振周波数ＦＶＢが公称精度に収まるように調整が行われる。以下では、この発振周波数ＦＶＢを公称周波数と記載し、公称周波数ＦＶＢとなるときの電圧ＶＢを、公称周波数電圧と記載する。公称周波数ＦＶＢはＶＣＸＯの中心周波数（公称周波数範囲の中心周波数）と呼ばれる場合があり、公称周波数電圧ＶＢは中心電圧と呼ばれる場合がある。
【００２１】
電源電圧をＶＤＤとした場合に、公称周波数電圧（中心電圧）ＶＢは、一般的にはＶＢ＝ＶＤＤ／２に設定される。即ち、ＶＣＸＯでは、制御電圧ＶＣがＶＢ＝ＶＤＤ／２であるときの公称周波数ＦＶＢ（中心周波数）が公称精度に収まるように調整が行われ、発振器の仕様書にはこの公称周波数や公称精度が記載される。
【００２２】
さて、１つの製品の発振器用の回路装置（ＩＣ）で、電圧制御機能を有するＶＣＸＯ（Voltage controlled Crystal Oscillator）と、電圧により周波数を可変させる機能を必要としないＳＰＸＯ（Simple Packaged Crystal Oscillator）の両方に対応しようとする場合に、例えばＶＣＸＯをＳＰＸＯとして使用可能にする比較例の手法として図１（Ｃ）に示す手法が考えられる。この手法では、抵抗Ｒ１、Ｒ２を用いた電源電圧ＶＤＤの抵抗分割により、ＶＤＤ／２の電圧を生成し、制御電圧ＶＣの入力端子に入力する。例えばＶＤＤ＝３．３Ｖである場合には、ＶＣ＝１．６５Ｖの制御電圧を入力端子に入力する。
【００２３】
しかしながら、この手法では、周囲の機器の影響等により電源電圧ＶＤＤが揺らぐと、制御電圧ＶＣ＝ＶＤＤ／２も揺らいでしまう。この結果、制御電圧ＶＣにより制御される発振周波数も揺らいでしまい、電源電圧変動に対する発振周波数の周波数安定度が低下するという課題がある。
【００２４】
図２に、以上のような課題を解決する本実施形態の回路装置２０及びこれを含む発振器の構成例を示す。なお本実施形態の回路装置２０及び発振器は図２の構成には限定されず、その構成要素の一部を省略したり、他の構成要素を追加するなどの種々の変形実施が可能である。
【００２５】
図２に示すように本実施形態の回路装置２０は、制御部３０と発振回路５０を含む。また動作モード設定部８０や電圧生成回路９０を含むことができる。そして回路装置２０と発振子１０とにより発振器が構成される。例えば回路装置２０と発振子１０は１つのパッケージに組み込まれて実装される。
【００２６】
発振子１０は例えば水晶振動子である。なお発振子１０として、ＳＡＷ（Surface Acoustic Wave）共振子や、ＭＥＭＳ（Micro Electro Mechanical System）共振子や、水晶音叉型振動子などを用いてもよい。
【００２７】
発振回路５０は、発振子１０を発振させる動作を行う回路であり、電圧制御型の可変容量回路６０を有する。可変容量回路６０は、第１〜第ｎの可変容量素子ＣＡ１〜ＣＡｎ（ｎは２以上の整数）を有する。可変容量素子ＣＡ１〜ＣＡｎは容量値の制御が可能な素子であり、例えばバリキャップ（可変容量ダイオード）などにより実現される。可変容量素子ＣＡ１〜ＣＡｎは、例えば並列接続されている。なお可変容量素子の個数ｎは任意である。
【００２８】
制御部３０は、発振回路５０の可変容量回路６０を制御するものであり、例えば第１〜第ｎの印加電圧ＶＡ１〜ＶＡｎを、可変容量回路６０の可変容量素子ＣＡ１〜ＣＡｎに供給する。例えば印加電圧ＶＡ１は可変容量素子ＣＡ１の一方の端子に供給される。同様に印加電圧ＶＡ２は可変容量素子ＣＡ２の一方の端子に供給され、印加電圧ＶＡ３は可変容量素子ＣＡ３の一方の端子に供給される。印加電圧ＶＡ４〜ＶＡｎも同様にｎの数が等しい可変容量素子の一方の端子に供給される。また可変容量素子ＣＡ１〜ＣＡｎの他方の端子は、例えば接地電圧（ＧＮＤ）に設定される。なお可変容量素子ＣＡ１〜ＣＡｎの他方の端子の設定電圧は接地電圧には限定されない。また制御部３０の印加電圧ＶＡ１〜ＶＡｎの出力ノードと、可変容量素子ＣＡ１〜ＣＡｎの一方の端子との間に、他の回路素子（例えば後述する図５の抵抗ＲＡ１〜ＲＡｎ）が介在してもよい。
【００２９】
制御部３０には可変電圧ＶＶと固定電圧ＶＦが入力される。具体的には、回路装置２０は、制御電圧ＶＣが入力される制御電圧入力端子ＴＶＣを有する。そして制御電圧入力端子ＴＶＣに入力される制御電圧ＶＣが、可変電圧ＶＶとして制御部３０に入力される。
【００３０】
また回路装置２０は電圧生成回路９０を有し、この電圧生成回路９０が固定電圧ＶＦを生成する。そして、この電圧生成回路９０が生成した固定電圧ＶＦが制御部３０に入力される。電圧生成回路９０は、例えば基準電圧に基づいて固定電圧ＶＦを生成する回路であり、例えば後述するようにバンドギャップ・リファレンス回路などにより構成できる。この電圧生成回路９０は、電源電圧が変動したり、温度が変動した場合にも、その変動が最小限に抑えられた固定電圧ＶＦを生成して、制御部３０に供給する。なお固定電圧ＶＦを回路装置２０の外部から供給する変形実施も可能である。
【００３１】
そして本実施形態では制御部３０は、回路装置（発振回路、発振器）の動作モードが第１の動作モードである場合には、可変容量素子ＣＡ１〜ＣＡｎに対して、少なくとも１つが可変電圧ＶＶである印加電圧ＶＡ１〜ＶＡｎを供給する。具体的には、印加電圧ＶＡ１〜ＶＡｎのうちの少なくとも１つの印加電圧が可変電圧ＶＶであり、他の印加電圧が固定電圧ＶＦである印加電圧ＶＡ１〜ＶＡｎを、可変容量素子ＣＡ１〜ＣＡｎの一方の端子に、Ａ１〜Ａｎの数が等しい同士になるように供給する。
【００３２】
一方、制御部３０は、動作モードが第２の動作モードである場合には、可変容量素子ＣＡ１〜ＣＡｎに対して、固定電圧ＶＦである印加電圧ＶＡ１〜ＶＡｎを供給する。即ち、第１の動作モードでは、印加電圧ＶＡ１〜ＶＡｎの少なくとも１つが可変電圧ＶＶになっていたが、第２の動作モードでは、可変容量素子ＣＡ１〜ＣＡｎの一方の端子に供給される印加電圧ＶＡ１〜ＶＡｎは、例えば全てが固定電圧ＶＦになる。
【００３３】
ここで第１の動作モードは、例えば可変電圧ＶＶである制御電圧ＶＣの変化に応じて発振周波数が変化するモードである。具体的には、回路装置２０が例えばＶＣＸＯ用として動作するモードである。
【００３４】
一方、第２の動作モードは、制御電圧ＶＣが変化に対して発振周波数が一定となるモードである。即ち、発振周波数を制御電圧ＶＣにて可変制御する制御を必要としないモードであり、具体的には回路装置２０が例えばＳＰＸＯ用として動作するモードである。
【００３５】
即ち、回路装置２０の動作モードを第１の動作モードに設定すると、回路装置２０はＶＣＸＯ用として動作し、回路装置２０が組み込まれた発振器を、ＶＣＸＯとして動作させることができる。一方、回路装置２０の動作モードを第２の動作モードに設定すると、回路装置２０はＳＰＸＯ用として動作し、回路装置２０が組み込まれた発振器を、ＳＰＸＯとして動作させることができる。
【００３６】
これらの動作モードの設定は、動作モード設定部８０が行う。即ち、制御部３０は動作モード設定部８０からの指示により、上述した第１の動作モードと第２の動作モードの切替を行う。
【００３７】
具体的には、動作モード設定部８０は記憶部８２を有しており、記憶部８２は、動作モードの設定情報を記憶する。そして制御部３０は、記憶部８２に記憶された設定情報に基づいて、第１の動作モードと第２の動作モードの切替を行う。即ち、制御部３０は、設定情報に基づいて、動作モードを第１の動作モードに設定したり、動作モードを第２の動作モードに設定する。
【００３８】
記憶部８２は、例えばＥＥＰＲＯＭ（Electrically Erasable Programmable Read-Only Memory）やＯＴＰ（One Time Programmable ROM）などの不揮発性メモリーにより実現できる。但し、記憶部８２は、これに限定されず、例えばＲＡＭ（ＳＲＡＭ、ＤＲＡＭ）やフリップフロップ回路等により構成されるレジスターなどであってもよい。
【００３９】
また本実施形態では制御部３０は、印加電圧ＶＡ１〜ＶＡｎのうちの可変電圧ＶＶとなる電圧の供給個数の設定により、制御電圧ＶＣに対する発振周波数の周波数可変感度を設定している。ここで周波数可変感度は、制御電圧ＶＣの変化に対して発振周波数が変化した場合のその変化量である。周波数可変感度は、図１（Ｂ）の制御電圧ＶＣに対する発振周波数の特性曲線の傾きに相当する。
【００４０】
以上に説明した本実施形態の回路装置２０によれば、第１の動作モードでは、可変容量素子ＣＡ１〜ＣＡｎに供給される印加電圧ＶＡ１〜ＶＡｎの少なくとも１つが可変電圧ＶＶになる。こうすることで、ＣＡ１〜ＣＡｎの少なくとも１つに対して可変電圧ＶＶが印加されるようになるため、回路装置２０を例えばＶＣＸＯ用として動作させることが可能になる。即ち、電圧制御の発振器用の回路装置２０として動作させることができる。
【００４１】
一方、第２の動作モードでは、可変容量素子ＣＡ１〜ＣＡｎに供給される印加電圧ＶＡ１〜ＶＡｎが固定電圧ＶＦになる。こうすることで、可変容量素子ＣＡ１〜ＣＡｎに対して固定電圧ＶＦが印加されるようになるため、回路装置２０を例えばＳＰＸＯ用として動作させることが可能になる。即ち、電圧制御機能を有しない発振器用の回路装置２０として動作させることができる。
【００４２】
従って、本実施形態によれば、回路装置２０をＶＣＸＯ用として使用できると共に、ＳＰＸＯ用としても使用できるため、ＶＣＸＯとＳＰＸＯの両方に対応することが可能になる。例えばＶＣＸＯ用として使用する場合には、回路装置２０を第１の動作モードに設定して、ＶＣＸＯの発振器に組み込めばよく、ＳＰＸＯ用として使用する場合には、回路装置２０を第２の動作モードに設定して、ＳＰＸＯの発振器に組み込めばよい。従って、１つの製品の回路装置２０でＶＣＸＯとＳＰＸＯの両方に対応でき、在庫管理の煩雑さの軽減や製品の開発コストや工数の低減を図れる。
【００４３】
また本実施形態では、動作モードの切替は、動作モード設定部８０の記憶部８２に記憶される設定情報に基づいて行われる。従って、記憶部８２に記憶される設定情報の内容を書き換えるだけで、回路装置２０を第１の動作モードで動作させたり、第２の動作モードで動作させることが可能になる。従って、例えば回路装置２０（ＩＣ）が製造された後、在庫品となっていた場合等においても、ＶＣＸＯを所望するクライアントに対しては、記憶部８２の設定情報を第１の動作モード用の設定情報にすることで、これに対応できるようになる。またＳＰＸＯを所望するクライアントに対しては、記憶部８２の設定情報を第２の動作モード用の設定情報にすることで、これに対応できるようになる。特に、記憶部８２が電気的に設定情報の書き換えが可能な不揮発性メモリーで構成される場合には、回路装置２０が発振器のパッケージに組み込まれた後も、その動作モードを変更できるという利点がある。
【００４４】
なお図３に本実施形態の変形例を示す。この変形例では、制御部３０は、入力される制御信号ＳＣＥによって、第１の動作モードと第２の動作モードの切替を行う。即ち、外部端子ＴＥから直接に制御信号ＳＣＥが制御部３０に入力されており、この制御信号ＳＣＥに基づき動作モードの切り替えが可能である。従って、回路装置２０が発振器のパッケージに組み込まれた後も、外部端子ＴＥを介して外部デバイスから入力される制御信号ＳＣＥにより、動作モードを自在に変更できるという利点がある。なお図３では、外部端子ＴＥの数が１つである場合を例示しているが、複数の外部端子ＴＥを設けて制御信号ＳＣＥを入力してもよい。例えばｐ個の外部端子ＴＥを設けた場合には、ｐビットの制御信号ＳＣＥを入力して、動作モードを設定すればよい。
【００４５】
また本実施形態の回路装置２０によれば、印加電圧ＶＡ１〜ＶＡｎのうちの可変電圧ＶＶとなる電圧の供給個数の設定により、ＶＣＸＯにおける発振周波数の周波数可変感度を自在に設定できる。従って、例えば第１の特性の周波数可変感度を所望するクライアントに対しては、可変電圧ＶＶとなる電圧の供給個数を、第１の特性の周波数可変感度に対応する個数に設定することで、これに対応できる。同様に、第２の特性の周波数可変感度を所望するクライアントに対しては、可変電圧ＶＶとなる電圧の供給個数を、第２の特性の周波数可変感度に対応する個数に設定することで、これに対応できる。
【００４６】
また本実施形態の回路装置２０では、固定電圧ＶＦは、内部に設けられた電圧生成回路９０により生成される。従って、例えば温度変動や電源電圧変動に対する固定電圧ＶＦの変動を最小限に抑えることが可能になる。そして、固定電圧ＶＦの変動が最小限に抑えられることで、可変容量素子ＣＡ１〜ＣＡｎへの印加電圧の変動も最小限に抑えられるため、温度変動や電源電圧変動に対する発振周波数の周波数安定度を向上できる。
【００４７】
また、例えば前述した特許文献２の従来技術では、制御電圧の伝達経路に設けられた溶断素子を切断することにより、ＶＣＸＯをＳＰＸＯとして使用可能にしている。また、オペアンプで構成されるバッファー回路を用いて、周波数可変感度を調整している。
【００４８】
しかしながら、この従来技術の手法では、バッファー回路が有するオペアンプが発生するノイズ（熱雑音、１／ｆノイズ）が原因となって、発振周波数の周波数安定度や精度が低下してしまう。例えば、ＶＣＸＯでの動作時に、制御電圧が伝達される経路に、ノイズ源となるオペアンプが存在すると、その制御電圧にノイズが重畳され、重畳されたノイズが原因となって発振周波数に揺らぎが生じてしまう。この発振周波数の揺らぎは例えば位相ノイズの増加になり周波数安定度の不安定化を招く。
【００４９】
また、バッファー回路を構成するためにオペアンプを用いると、このオペアンプでの電流パスに流れる電流は大きいため、回路装置の低消費電力の妨げとなる。特に、上述したオペアンプのノイズを低減するためには、オペアンプに流れるバイアス電流を増やす必要があるが、これは消費電力の更なる増加を招く。
【００５０】
また、この従来技術では、制御電圧の伝達経路に設けられた溶断素子を切断して、発振器をＳＰＸＯとして使用した後は、元のＶＣＸＯに戻すことができないという問題もある。
【００５１】
これに対して、本実施形態によれば、回路装置２０を第１の動作モードに設定して、印加電圧ＶＡ１〜ＶＡｎの少なくとも１つが可変電圧ＶＶになるように設定するだけで、回路装置２０をＶＣＸＯ用として動作させることができる。この際に、可変電圧ＶＶとなる電圧の供給個数の設定により、ＶＣＸＯにおける発振周波数の周波数可変感度も自在に調整できる。また、回路装置２０を第２の動作モードに設定して、印加電圧ＶＡ１〜ＶＡｎが固定電圧ＶＦになるように設定するだけで、回路装置２０をＳＰＸＯ用として動作させることができる。従って、本実施形態によれば、従来技術のようなオペアンプを用いなくても、ＶＣＸＯとＳＰＸＯの両方に対応できると共に、ＶＣＸＯにおける周波数可変感度の調整も可能になる。即ち、ＶＣＸＯとＳＰＸＯの両方に対応しながら、周波数安定度や消費電力等を従来技術に比べて向上できるという利点がある。更に、記憶部８２の設定情報を変更することで、第１の動作モードから第２の動作モードに、更に第２の動作モードから第１の動作モードに自在に切り替えることができるという利点もある。
【００５２】
２．発振回路、制御部、可変容量回路の構成例
次に発振回路５０、制御部３０の具体的な構成例を説明する。図４は発振回路５０の詳細な構成例を示す図である。
【００５３】
図４の発振回路５０は、インバーター回路５２、帰還抵抗ＲＦ、出力回路５４、可変容量回路６０−１、６０−２、可変容量回路６２−１、６２−２を有する。インバーター回路５２は発振信号の増幅器として機能する。帰還抵抗ＲＦは、インバーター回路５２の出力ノードＮＢ２と入力ノードＮＢ１の間に設けられる。インバーター回路５２の出力信号は、出力回路５４によりバッファリングされて、信号ＯＵＴとして出力される。
【００５４】
可変容量回路６０−１、可変容量回路６２−１は、インバーター回路５２の入力ノードＮＢ１に接続され、可変容量回路６０−２、可変容量回路６２−２は、インバーター回路５２の出力ノードＮＢ２に接続される。
【００５５】
可変容量回路６０−１、６０−２の各々は、図２の可変容量回路６０に対応するものであり、複数の並列接続された可変容量素子ＣＡ１〜ＣＡｎを有する。可変容量回路６０−１、６０−２の容量値が制御されることで、ＶＣＸＯにおける発振周波数の電圧制御が実現される。
【００５６】
一方、可変容量回路６２−１、６２−２は、発振周波数の微調整用の容量回路である。可変容量回路６２−１、６２−２の詳細については後述する。
【００５７】
図５に、制御部３０と可変容量回路６０の詳細な構成例を示す。なお、制御部３０、可変容量回路６０の構成は図５の構成に限定されるものではなく、種々の変形実施が可能である。また図４の可変容量回路６０−１、６０−２は同様の構成となっているため、図５では可変容量回路６０としてその構成を説明する。
【００５８】
図５に示すように制御部３０は、第１〜第ｎの切替部ＳＷ１〜ＳＷｎを有する。これらの切替部ＳＷ１〜ＳＷｎは、例えばＭＯＳトランジスター（トランスファーゲート）により構成されるスイッチ等により実現できる。但し、本実施形態はこれに限定されず、切替部ＳＷ１〜ＳＷｎをスイッチ以外の回路素子で実現する変形実施が可能である。
【００５９】
切替部ＳＷ１〜ＳＷｎには、可変電圧ＶＶと固定電圧ＶＦとが入力される。そして切替部ＳＷ１〜ＳＷｎは、可変電圧ＶＶ及び固定電圧ＶＦの中から選択した電圧を、印加電圧ＶＡ１〜ＶＡｎとして可変容量素子ＣＡ１〜ＣＡｎに出力する。具体的には、ＡＣ成分カット用の抵抗ＲＡ１〜ＲＡｎを介して印加電圧ＶＡ１〜ＶＡｎを可変容量素子ＣＡ１〜ＣＡｎに出力する。
【００６０】
切替部ＳＷ１〜ＳＷｎは、制御部３０に設けられたスイッチ信号出力部３２からのスイッチ信号ＳＣ１〜ＳＣｎに基づいて、その切替制御が行われる。スイッチ信号出力部３２は、動作モード設定部８０からの設定情報に基づいて、スイッチ信号ＳＣ１〜ＳＣｎを出力する。
【００６１】
切替部ＳＷ１は、スイッチ信号ＳＣ１に基づいて、可変電圧ＶＶと固定電圧ＶＦのいずれかを選択して、印加電圧ＶＡ１として可変容量素子ＣＡ１の一方の端子に出力する。切替部ＳＷ２は、スイッチ信号ＳＣ２に基づいて、可変電圧ＶＶと固定電圧ＶＦのいずれかを選択して、印加電圧ＶＡ２として可変容量素子ＣＡ２の一方の端子に出力する。他の切替部ＳＷ３〜ＳＷｎの動作も同様である。
【００６２】
可変容量素子ＣＡ１〜ＣＡｎの他方の端子のノードＮＢ３は接地電圧（ＧＮＤ）に設定される。そして可変容量素子ＣＡ１〜ＣＡｎの一方の端子のノードＮＡ１〜ＮＡｎとノードＮＢ１（ＮＢ２）との間には、容量素子ＣＢ１〜ＣＢｎが設けられている。このノードＮＢ１（ＮＢ２）は、図４に示すようにインバーター回路５２の入力ノード（出力ノード）である。
【００６３】
即ち、容量素子ＣＢ１と可変容量素子ＣＡ１は、ノードＮＢ１とＮＢ３の間に直列に接続されている。容量素子ＣＢ２と可変容量素子ＣＡ２も、ノードＮＢ１とＮＢ３の間に直列に接続されている。他の容量素子ＣＢ３〜ＣＢｎ、可変容量素子ＣＡ３〜ＣＡｎの接続についても同様である。
【００６４】
容量素子ＣＢ１〜ＣＢｎは、容量値が固定の素子であり、例えばポリシリコン容量やＭＩＭ（Metal-Insulator-Metal）などにより実現できる。容量素子ＣＢ１〜ＣＢｎは、ＤＣカット用の容量素子として機能するものである。容量素子ＣＢ１〜ＣＢｎの容量値は、可変容量素子ＣＡ１〜ＣＡｎに比べて大きな容量値（例えば１０倍程度）に設定されている。こうすることで、直列容量値（例えばＣＡ１とＣＢ１の直列容量値）において、可変容量素子ＣＡ１〜ＣＡｎの容量値が支配的な容量値になる。例えば、可変容量素子ＣＡ１、容量素子ＣＢ１の容量値を、各々、ＣＡ、ＣＢとする。するとＣＡ１とＣＢ１の直列容量値はＣＳ＝１／｛１／ＣＡ＋１／ＣＢ｝になる。従って、ＣＢが十分に大きければ、直列容量値ＣＳは、可変容量素子の容量値ＣＡに近い値になる。
【００６５】
そして図５では、動作モード設定部８０が、動作モードを第１の動作モードに設定している。この第１の動作モードでは、切替部ＳＷ１〜ＳＷｎのうちの少なくとも１つの切替部が、可変電圧ＶＶを選択して出力する。例えば図５では、切替部ＳＷ１、ＳＷ２が可変電圧ＶＶを選択し、選択した可変電圧ＶＶを可変容量素子ＣＡ１、ＣＡ２の一方の端子に出力している。これに対して切替部ＳＷ３、ＳＷｎは、固定電圧ＶＦを選択し、選択した固定電圧ＶＦを、可変容量素子ＣＡ３、ＣＡｎの一方の端子に出力している。
【００６６】
このように第１の動作モードでは、切替部ＳＷ１〜ＳＷｎのうちの一部の切替部が、可変電圧ＶＶを出力し、他の切替部は固定電圧ＶＦを出力している。これにより、前述したように、回路装置２０をＶＣＸＯ用として動作させることができる。なお、切替部ＳＷ１〜ＳＷｎの全てが可変電圧ＶＶを出力するようにしてもよい。
【００６７】
一方、図６では、動作モード設定部８０が、動作モードを第２の動作モードに設定している。そして、この第２の動作モードでは、切替部ＳＷ１〜ＳＷｎが、固定電圧ＶＦを選択して出力する。
【００６８】
このように第２の動作モードでは、全ての切替部ＳＷ１〜ＳＷｎが固定電圧ＶＦを選択し、選択した固定電圧ＶＦを可変容量素子ＣＡ１〜ＣＡｎに出力している。これにより、前述したように、回路装置２０をＳＰＸＯ用として動作させることができる。
【００６９】
具体的には、動作モード設定部８０の記憶部８２は、設定情報として、例えば[ｂ１、ｂ２、ｂ３・・・・ｂｎ]を記憶する。ｂ１、ｂ２、ｂ３・・・・ｂｎの各々は、「０」（第１の論理レベル）又は「１」（第２の論理レベル）のいずれかに設定される。スイッチ信号出力部３２が出力するスイッチ信号ＳＣ１、ＳＣ２、ＳＣ３・・・ＳＣｎは、この設定情報[ｂ１、ｂ２、ｂ３・・・・ｂｎ]により制御される。
【００７０】
例えばｂ１＝１の場合には、スイッチ信号ＳＣ１が例えばＨレベルになり、切替部ＳＷ１は可変電圧ＶＶを選択する。これにより可変容量素子ＣＡ１には可変電圧ＶＶが印加される。一方、ｂ１＝０の場合には、スイッチ信号ＳＣ１が例えばＬレベルになり、切替部ＳＷ１は固定電圧ＶＦを選択する。これにより可変容量素子ＣＡ１には固定電圧ＶＦが印加される。
【００７１】
同様に、ｂ２＝１の場合には、スイッチ信号ＳＣ２が例えばＨレベルになり、切替部ＳＷ２は可変電圧ＶＶを選択する。これにより可変容量素子ＣＡ２には可変電圧ＶＶが印加される。一方、ｂ２＝０の場合には、スイッチ信号ＳＣ２が例えばＬレベルになり、切替部ＳＷ２は固定電圧ＶＦを選択する。これにより可変容量素子ＣＡ２には固定電圧ＶＦが印加される。
【００７２】
そして図５の第１の動作モードでは、設定情報のｂ１、ｂ２、ｂ３・・・・ｂｎの少なくとも１つが「１」になっている。これにより、可変容量素子ＣＡ１〜ＣＡｎの少なくとも１つに対して可変電圧ＶＶが印加されるようになる。
【００７３】
一方、図６の第２の動作モードでは、設定情報のｂ１、ｂ２、ｂ３・・・・ｂｎの全てが「０」になっている。これにより、全ての可変容量素子ＣＡ１〜ＣＡｎに対して固定電圧ＶＦが印加されるようになる。
【００７４】
図７（Ａ）は、制御電圧ＶＣ（可変電圧ＶＶ）と合成容量値ＣＴＬ（負荷容量の合成容量値）の関係を示す図であり、図７（Ｂ）は、制御電圧ＶＣと発振周波数ＦＣの関係を示す図である。
【００７５】
ここでは、図５、図６における可変容量素子ＣＡ１〜ＣＡｎの個数がｎ＝１５である場合を例にとり説明する。
【００７６】
図７（Ａ）、図７（Ｂ）において各特性曲線に付されているＫＶｍの数字ｍは、ｎ＝１５個の可変容量素子ＣＡ１〜ＣＡｎのうち、固定電圧ＶＦが印加されている可変容量素子の個数を表している。
【００７７】
例えばＫＶ１は、１個の可変容量素子に対して固定電圧ＶＦを印加した場合の特性曲線である。即ち、ＫＶ１は、１個の可変容量素子に対して固定電圧ＶＦを印加し、１４個の可変容量素子に対して可変電圧ＶＶを印加した場合の特性曲線である。
【００７８】
同様に、ＫＶ２は、２個の可変容量素子に対して固定電圧ＶＦを印加し、１３個の可変容量素子に対して可変電圧ＶＶを印加した場合の特性曲線である。
【００７９】
また、ＫＶ０は、固定電圧ＶＦが印加される可変容量素子は無く、全ての可変容量素子に対して可変電圧ＶＶを印加した場合の特性曲線である。
【００８０】
また、ＫＶ１５は、１５個の全ての可変容量素子に対して固定電圧ＶＦを印加した場合の特性曲線である。
【００８１】
例えば可変電圧ＶＶが印加される可変容量素子の個数をｊ＝１５−ｍとする。すると、図７（Ｂ）から明らかなように、可変容量素子の個数ｊの設定によって、制御電圧ＶＣに対する発振周波数ＦＣの周波数可変感度を設定できる。
【００８２】
例えば特性曲線ＫＶ０では、ｍ＝０であるため、可変電圧ＶＶが印加される可変容量素子の個数はｊ＝１５−０＝１５個になる。即ち全ての可変容量素子に対して可変電圧ＶＶが与えられており、この場合には、特性曲線ＫＶ０の傾きは大きくなり、周波数可変感度が大きくなる。
【００８３】
また特性曲線ＫＶ１では、ｍ＝１であるため、可変電圧ＶＶが印加される可変容量素子の個数はｊ＝１５−１＝１４個になる。即ち、１４個の可変容量素子に対して可変電圧ＶＶが与えられ、１個の可変容量素子に対して固定電圧ＶＦが印加される。この場合には、特性曲線ＫＶ１の傾きは、特性曲線ＫＶ０に比べて小さくなり、周波数可変感度もＫＶ０に比べて小さくなる。
【００８４】
また特性曲線ＫＶ２では、ｍ＝２であるため、可変電圧ＶＶが印加される可変容量素子の個数はｊ＝１５−２＝１３個になる。即ち、１３個の可変容量素子に対して可変電圧ＶＶが与えられ、２個の可変容量素子に対して固定電圧ＶＦが印加される。この場合には、特性曲線ＫＶ２の傾きは、特性曲線ＫＶ１に比べて小さくなり、周波数可変感度もＫＶ１に比べて小さくなる。
【００８５】
そして特性曲線ＫＶ１５では、ｍ＝１５であるため、可変電圧ＶＶが印加される可変容量素子の個数はｊ＝１５−１５＝０個になる。即ち、１５個の全ての可変容量素子に対して固定電圧ＶＦが印加される。この場合には、特性曲線ＫＶ１５の傾きは０になる。
【００８６】
このように、図７（Ｂ）の特性曲線ＫＶ１５は、ＳＰＸＯ用である第２の動作モードでの特性曲線に相当する。即ち、図６に示すように第２の動作モードでは、全ての可変容量素子ＣＡ１〜ＣＡ１５に対して固定電圧ＶＦが印加される。これにより、図７（Ｂ）の特性曲線ＫＶ１５のように、制御電圧ＶＣが変化しても発振周波数ＦＣが変化しないというＳＰＸＯでの発振周波数特性が得られる。
【００８７】
一方、図７（Ｂ）の特性曲線ＫＶ０〜ＫＶ１４は、ＶＣＸＯ用である第１の動作モードでの特性曲線に相当する。即ち、図５に示すように第１の動作モードでは、可変容量素子ＣＡ１〜ＣＡ１５の少なくとも１つに対して可変電圧ＶＶが印加される。そして、この可変電圧ＶＶが印加される可変容量素子の個数ｊ＝１５−ｍの設定によって、特性曲線ＫＶ０〜ＫＶ１４の傾きが変化し、周波数可変感度を自在に調整できるようになる。これは、前述した、印加電圧ＶＡ１〜ＶＡｎのうちの可変電圧ＶＶとなる電圧の供給個数の設定により、周波数可変感度を調整することに相当する。
【００８８】
このように本実施形態の回路装置によれば、ＶＣＸＯとＳＰＸＯの両方に対応できると共に、ＶＣＸＯにおける周波数可変感度も自在に調整することが可能になる。
【００８９】
３．電圧生成回路
図８に電圧生成回路９０の構成例を示す。この電圧生成回路９０は、基準電圧生成回路９２（バンドギャップ・リファレンス回路）と電圧レギュレータ回路９４を有する。
【００９０】
基準電圧生成回路９２は、バンドギャップ・リファレンスにより基準電圧ＶＲＥＦを生成する回路であり、トランジスターＴＣ１〜ＴＣ５と抵抗ＲＣ１、ＲＣ２とダイオードＤＣ１〜ＤＣ３を有する。トランジスターＴＣ１とＴＣ２、ＴＣ３とＴＣ４により構成されるカレントミラー回路により、ダイオードＤＣ１、ＤＣ２には同じ電流値の電流が流れる。そして、トランジスターＴＣ３、ＴＣ４のソース電位が同じになることにより抵抗ＲＣ１の両端に現れる電圧を利用して、基準電圧ＶＲＥＦを生成する。抵抗ＲＣ１とＲＣ２の抵抗比を適切に選ぶことで、温度変動に依存しない基準電圧ＶＲＥＦを生成できる。この基準電圧ＶＲＥＦは、シリコンのバンドギャップ・エネルギーに対応するものであり、例えばＶＲＥＦ＝１．２５Ｖとなる。
【００９１】
電圧レギュレータ回路９４は、オペアンプＯＰＣとトランジスターＴＣ６と抵抗ＲＣ３、ＲＣ４を有する。オペアンプＯＰＣの仮想接地によりノードＮＣ６の電圧が基準電圧ＶＲＥＦと等しくなるため、固定電圧ＶＦ（定電圧）は、ＶＦ＝ＶＲＥＦ×｛（ＲＣ３＋ＲＣ４）／ＲＣ４｝で表される電圧になる。従って、電源電圧に依存しない固定電圧ＶＦを出力できる。またオペアンプＯＰＣのＰＳＲＲ（電源電圧変動除去比）により、電源電圧が変動した場合にも、固定電圧ＶＦの変動を最小限に抑えることができる。
【００９２】
従って、図８の構成の電圧生成回路９０によれば、温度変動や電源変動に対する変動が最小限に抑えられた固定電圧ＶＦを生成して、制御部３０に供給できる。そして、このような変動が最小限に抑えられた固定電圧ＶＦが可変容量素子ＶＡ１〜ＶＡｎの印加電圧として供給されることで、発振周波数の周波数安定度の向上等を図れる。
【００９３】
４．発振周波数の調整
図９は発振器の発振周波数の調整手法の例を説明する図である。例えば発振器の製品の出荷時に、ＶＣＸＯの発振周波数を調整する場合には、まず、水晶振動子などの発振子１０に対して機械的な加工を加えて、発振子１０自体の発振周波数を調整する。
【００９４】
この場合に制御電圧ＶＣは、前述した公称周波数に対応する公称周波数電圧ＶＢに設定される。この公称周波数電圧ＶＢは中心電圧と呼ばれており、例えば電源電圧ＶＤＤの中心電圧であるＶＢ＝ＶＤＤ／２に設定される。そして発振子１０の機械的加工だけでも充分に必要精度を得ることができるが、高精度が必要とされる場合は、発振周波数の最終的な微調整に、図４の可変容量回路６２−１、６２−２を用いる。つまり、可変容量回路６２−１、６２−２の容量値の設定により、図９のＥ１、Ｅ２に示すように、制御電圧がＶＣ＝ＶＢ＝ＶＤＤ／２の場合に発振周波数が公称周波数ＦＶＢになるように、発振周波数の最終的な調整を行う。即ち、公称精度の範囲内になるように発振周波数を最終調整する。
【００９５】
このようにしてＶＣＸＯにおける発振周波数の調整が実現される。そして本実施形態では、前述したように、第１、第２の動作モードの設定により、ＶＣＸＯとＳＰＸＯの両方の動作を実現できる。従って、ＶＣＸＯとしての発振周波数の調整を行うことで、ＳＰＸＯとしての発振周波数の調整も済ますことができれば、調整作業の効率化を図れる。
【００９６】
そこで本実施形態では、第１の動作モードにおいて、発振周波数を公称周波数ＦＶＢに設定する際の制御電圧ＶＣを、公称周波数電圧ＶＢとした場合に、電圧生成回路９０は、固定電圧ＶＦとして、公称周波数電圧ＶＢと同じ電圧値の電圧を生成する。例えば図９のように公称周波数電圧がＶＢ＝ＶＤＤ／２である場合には、電圧生成回路９０は、ＶＦ＝ＶＢ＝ＶＤＤ／２の電圧を生成する。図８を例にとれば、このような固定電圧ＶＦ＝ＶＤＤ／２は、抵抗ＲＣ３、ＲＣ４の抵抗比を設定することで生成できる。
【００９７】
このようにすれば、ＶＣＸＯ用の第１の動作モードで図９のように発振周波数を調整した後に、ＳＰＸＯ用の第２の動作モードに切り替えた場合にも、電圧生成回路９０が固定電圧ＶＦ＝ＶＢ＝ＶＤＤ／２を出力することで、ＳＰＸＯでの発振周波数も、公称周波数ＦＶＢに設定できるようになる。従って、発振周波数の調整作業の効率化を図れる。
【００９８】
５．電子機器、移動体
図１０（Ａ）に本実施形態の回路装置を含む電子機器の構成例を示す。この電子機器は、本実施形態の回路装置５００、発振子１０、アンテナＡＴＮ、通信部５１０、処理部５２０を含む。また操作部５３０、表示部５４０、記憶部５５０を含むことができる。図１０（Ａ）の電子機器としては、例えば携帯型情報端末（携帯電話、スマートフォーン）、生体計測機器（脈拍計、歩数計等）、映像機器（デジタルカメラ、ビデオカメラ）などの種々の機器を想定できる。
【００９９】
通信部５１０（無線回路）は、アンテナＡＮＴを介して外部からデータを受信したり、外部にデータを送信する処理を行う。処理部５２０は、電子機器の制御処理や、通信部５１０を介して送受信されるデータに対するデジタル処理などを行う。
【０１００】
操作部５３０は、ユーザーが入力操作を行うためのものであり、操作ボタンやタッチパネルディスプレイなどにより実現できる。表示部５４０は、各種の情報を表示するものであり、液晶や有機ＥＬなどにより実現できる。記憶部５５０は、データを記憶するものであり、ＲＡＭやＲＯＭなどの半導体メモリーやＨＤＤなどにより実現できる。
【０１０１】
図１０（Ｂ）に、本実施形態の回路装置を含む移動体の例を示す。本実施形態の回路装置は、例えば、車、飛行機、バイク、自転車、或いは船舶等の種々の移動体に組み込むことができる。移動体は、例えばエンジンやモーター等の駆動機構、ハンドルや舵等の操舵機構、各種の電子機器を備えて、地上や空や海上を移動する機器・装置である。図１０（Ｂ）は移動体の具体例としての自動車２０６を概略的に示している。自動車２０６には本実施形態の回路装置と発振子を有する発振器（不図示）が組み込まれる。制御装置２０８は、この発振器により生成されたクロック信号により動作する。制御装置２０８は、例えば車体２０７の姿勢に応じてサスペンションの硬軟を制御したり、個々の車輪２０９のブレーキを制御する。
【０１０２】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、回路装置、発振器、電子機器、移動体の構成等も、本実施形態で説明したものに限定されず、種々の変形実施が可能である。
【符号の説明】
【０１０３】
ＶＶ  可変電圧、ＶＦ  固定電圧、ＶＣ  制御電圧、
ＶＡ１〜ＶＡｎ  印加電圧、ＣＡ１〜ＣＡｎ  可変容量素子、
ＣＢ１〜ＣＢｎ  容量素子、ＲＡ１〜ＲＡｎ  抵抗、ＳＷ１〜ＳＷｎ  切替部、
ＳＣ１〜ＳＣｎ  スイッチ信号、ＲＦ  帰還抵抗、ＴＣ１〜ＴＣ６  トランジスター、
ＤＣ１〜ＤＣ３  ダイオード、ＲＣ１〜ＲＣ４  抵抗、
１０  発振子、２０  回路装置、３０  制御部、３２  スイッチ信号出力部、
５０  発振回路、５２  インバーター回路、５４  出力回路、
６０（６０−１、６０−２）、６２（６２−１、６２−２）  可変容量回路、
８０  動作モード設定部、８２  記憶部、９０  電圧生成回路、
２０６  移動体（自動車）、２０７  車体、２０８  制御装置、２０９  車輪、
５００  回路装置、５１０  通信部、５２０  処理部、５３０  操作部、
５４０  表示部、５５０  記憶部
【図１】
2015070482.tif 000003
【図２】
2015070482.tif 000004
【図３】
2015070482.tif 000005
【図４】
2015070482.tif 000006
【図５】
2015070482.tif 000007
【図６】
2015070482.tif 000008
【図７】
2015070482.tif 000009
【図８】
2015070482.tif 000010
【図９】
2015070482.tif 000011
【図１０】
2015070482.tif 000012